(57)【要約】【課題】ＤＣファンモータをフィードバック制御するモータ制御部で用いられている制御指令値を流用して通風障害の有無を判定し、構成の簡素化、通風障害の判定精度の向上等を図った空気調和機を提供することを目的とする。【解決手段】室内熱交換器３０および室外熱交換器１３に空気を流通するファン３３，２５と、該ファン３３，２５を駆動するＤＣファンモータ３２，２４とを備え、ＤＣファンモータ３２，２４をその回転数が目標値となるようにフィードバック制御するモータ制御部３５，２８を有している空気調和機１において、モータ制御部３５，２８での制御指令に用いられている速度指令値Ｖｓｐもしくはそれに対応するＨＥＸ値に基づいて、室内熱交換器３０および室外熱交換器１３に対する通風障害の有無を判定する通風障害判定手段５０を備えている。【選択図】図１
2011149646.tif 000002
【特許請求の範囲】
【請求項１】
室内熱交換器および／または室外熱交換器と、該室内熱交換器および／または室外熱交換器に空気を流通するファンと、該ファンを駆動するＤＣファンモータとを備え、前記ＤＣファンモータをその回転数が目標値となるようにフィードバック制御するモータ制御部を有している空気調和機において、
前記モータ制御部での制御指令に用いられている速度指令値Ｖｓｐもしくはそれに対応するＨＥＸ値に基づいて、前記室内熱交換器および／または室外熱交換器に対する通風障害の有無を判定する通風障害判定手段を備えていることを特徴とする空気調和機。
【請求項２】
前記通風障害判定手段は、前記速度指令値Ｖｓｐもしくはそれに対応するＨＥＸ値に基づいて、ファンモータ外れ、ファンロック、フィルタ目詰まり、吸込み口目詰まり、霜の堆積等の少なくともいずれか１つを前記室内熱交換器および／または室外熱交換器に対する通風障害として判定可能とされていることを特徴とする請求項１に記載の空気調和機。
【請求項３】
外気温センサおよび前記室外熱交換器の温度を検出する熱交温度センサを備え、これら温度センサの検出値と、前記通風障害判定手段からの通風障害有りとの判定結果とに基づいて、前記室外熱交換器に対する霜の堆積を判定し、除霜運転を行う除霜運転手段を備えていることを特徴とする請求項１または２に記載の空気調和機。
【発明の詳細な説明】
【技術分野】
【０００１】
本発明は、空気調和機の室内機または室外機に関し、特に室内熱交換器または室外熱交換器に空気を流通するファンをＤＣファンモータにより駆動するようにしている空気調和機に関するものである。
【背景技術】
【０００２】
空気調和機では、室内機側に室内熱交換器、室外機側に室外熱交換器が設けられ、該室内熱交換器および室外熱交換器に対して、室内ファンおよび室外ファンを介して室内空気または外気が流通可能とされている。これら室内ファンおよび室外ファンは、一般にＤＣファンモータを介して駆動されるようになっている。ＤＣファンモータは、通常、モータ制御部を介してモータ回転数が目標値（＝目標ＦＧ）となるように回転数出力（＝ＦＧ）と比較しながら速度指令値Ｖｓｐが調整されるようになっており、室内熱交換器または室外熱交換器に対する風路抵抗が増加すると、回転数出力（＝ＦＧ）が低下し、速度指令値Ｖｓｐもしくはそれに対応するＨＥＸ値がアップされるように制御されている。
【０００３】
一方、上記の空気調和機において、室内熱交換器の上流側には、空気中の塵埃を除去するエアフィルタが設置されている。このエアフィルタに塵埃が堆積すると、エアフィルタが目詰まりを起こし、風路抵抗が増加して、いわゆる通風障害が発生する。また、室外熱交換器の吸込み口には、吸込み口ガードが設けられており、この吸込み口ガードに紙やビニール袋等の粗大ゴミが張り付くと、風路抵抗が増加する。同様に、低外気温下の暖房運転時には、室外熱交換器に霜が堆積することによっても風路抵抗が増加し、いわゆる通風障害が発生する。
【０００４】
上記のような通風障害は、風路抵抗の増加によりファンを駆動するファンモータの軸動力を増加し、モータ電流の増加を招くとともに、熱交換を阻害するため、能力の低下を招くため、速やかに排除する必要がある。そこで、特許文献１には、ファンモータの駆動回路に電流センサを設置し、その検出値に基づいて通風障害の発生の有無を判断することにより、通風障害を除去または解消するようにした技術が開示されている。
【先行技術文献】
【特許文献】
【０００５】
【特許文献１】特開２００３−２６９７７２号公報
【発明の概要】
【発明が解決しようとする課題】
【０００６】
上記特許文献１のものでは、ファンモータの駆動回路に電流センサを設置し、その検出値に基づいて通風障害の有無を判断するようにしており、通風障害が発生していると判断した場合、エアフィルタの目詰まりを表示ランプにより警報したり、ファンを逆転させることにより粗大ゴミ等を除去したり、デフロスト運転を行って除霜したりする等の通風障害を解除する処置を実施している。しかしながら、通風障害の有無を検出するには、ファンモータの駆動回路に新たに電流センサを設置しなければならず、構成が複雑化するとともに、コストアップの要因となる等の課題があった。
【０００７】
また、暖房運転時のデフロストは、通常、外気温、室外熱交換器の温度等により実施の可否を判断しており、室外熱交換器に対する着霜を直接検知しているわけではない。このため、湿度が低い場合には、着霜していないにもかかわらず、デフロスト運転を行ってしまうことがあり、いわゆる偽デフロスト運転により空調フィーリングを悪化する要因となっており、着霜検知精度の改善が望まれていた。
【０００８】
本発明は、このような事情に鑑みてなされたものであって、ＤＣファンモータをフィードバック制御するモータ制御部で用いられている制御指令値を流用して通風障害の有無を判定し、構成の簡素化、通風障害の判定精度の向上等を図った空気調和機を提供することを目的とする。
【課題を解決するための手段】
【０００９】
上記した課題を解決するために、本発明の空気調和機は、以下の手段を採用する。
すなわち、本発明にかかる空気調和機は、室内熱交換器および／または室外熱交換器と、該室内熱交換器および／または室外熱交換器に空気を流通するファンと、該ファンを駆動するＤＣファンモータとを備え、前記ＤＣファンモータをその回転数が目標値となるようにフィードバック制御するモータ制御部を有している空気調和機において、前記モータ制御部での制御指令に用いられている速度指令値Ｖｓｐもしくはそれに対応するＨＥＸ値に基づいて、前記室内熱交換器および／または室外熱交換器に対する通風障害の有無を判定する通風障害判定手段を備えていることを特徴とする。
【００１０】
本発明によれば、室内熱交換器および／または室外熱交換器に対して空気を流通するファンと、該ファンを駆動するＤＣファンモータとを備え、該ＤＣファンモータをその回転数が目標値となるようにフィードバック制御するモータ制御部を有している空気調和機において、モータ制御部での制御指令に用いられている速度指令値Ｖｓｐもしくはそれに対応するＨＥＸ値に基づいて、室内熱交換器および／または室外熱交換器に対する通風障害の有無を判定する通風障害判定手段を備えているため、元々ＤＣファンモータの制御部で使用されている速度指令値Ｖｓｐもしくはそれに対応するＨＥＸ値等のパラメータを流用し、そのパラメータに基づいて通風障害判定手段により室内熱交換器および／または室外熱交換器に対する通風障害の有無を判定することができる。つまり、ＤＣファンモータの制御部では、モータ回転数が目標値（＝目標ＦＧ）となるように回転数出力（＝ＦＧ）と比較しながら速度指令値Ｖｓｐを調整しており、室内熱交換器および／または室外熱交換器に対して通風障害が生じ、風路抵抗が増加すると、回転数出力（＝ＦＧ）が低下し、結果的に速度指令値Ｖｓｐもしくはそれに対応するＨＥＸ値がアップする。従って、この速度指令値Ｖｓｐもしくはそれに対応するＨＥＸ値をモニタすることによって、新たに電流センサ等のセンサを設けることなく、室内熱交換器および／または室外熱交換器に対する通風障害の有無を判定することができ、構成の簡素化、通風障害の判定精度の向上等を図ることができる。
【００１１】
また、本発明の空気調和機は、上記の空気調和機において、前記通風障害判定手段は、前記速度指令値Ｖｓｐもしくはそれに対応するＨＥＸ値に基づいて、ファンモータ外れ、ファンロック、フィルタ目詰まり、吸込み口目詰まり、霜の堆積等の少なくともいずれか１つを前記室内熱交換器および／または室外熱交換器に対する通風障害として判定可能とされていることを特徴とする。
【００１２】
本発明によれば、通風障害判定手段が、速度指令値Ｖｓｐもしくはそれに対応するＨＥＸ値に基づいて、ファンモータ外れ、ファンロック、フィルタ目詰まり、吸込み口目詰まり、霜の堆積等の少なくともいずれか１つを室内熱交換器および／または室外熱交換器に対する通風障害として判定可能とされているため、速度指令値Ｖｓｐもしくはそれに対応するＨＥＸ値をモニタリングし、その値がファンモータ外れ、ファンロック、フィルタ目詰まり、吸込み口目詰まり、霜の堆積等に対応して定められている値に到達したことを以って、室内熱交換器および／または室外熱交換器に対して上記いずれかの通風障害が発生していると判定することができる。従って、室内熱交換器および／または室外熱交換器に対する通風障害の有無を、新たにセンサを設置することなく、モータ制御部で使われていたパラメータを流用することによって簡易に判定することが可能となる。
【００１３】
さらに、本発明の空気調和機は、上述のいずれかの空気調和機において、外気温センサおよび前記室外熱交換器の温度を検出する熱交温度センサを備え、これら温度センサの検出値と、前記通風障害判定手段からの通風障害有りとの判定結果とに基づいて、前記室外熱交換器に対する霜の堆積を判定し、除霜運転を行う除霜運転手段を備えていることを特徴とする。
【００１４】
本発明によれば、外気温センサおよび室外熱交換器の温度を検出する熱交温度センサを備え、これら温度センサの検出値と、通風障害判定手段からの通風障害有りとの判定結果とに基づいて、室外熱交換器に対する霜の堆積を判定し、除霜運転を行う除霜運転手段を備えているため、室外熱交換器に対する着霜の有無を、外気温センサおよび熱交温度センサの検出値の他に通風障害判定手段からの通風障害有りとの判定結果を加えて判定し、除霜運転を行うことができる。従って、外気温センサおよび室外熱交温度センサの検出値に基づいて除霜運転を行っていた場合に比べ、着霜検出精度を高め、いわゆる偽デフロスト運転を回避して、空調フィーリングの悪化を防止することができる。
【発明の効果】
【００１５】
本発明によると、元々ＤＣファンモータの制御部で使用されていた速度指令値Ｖｓｐもしくはそれに対応するＨＥＸ値等のパラメータを流用し、そのパラメータに基づいて通風障害判定手段により室内熱交換器および／または室外熱交換器に対する通風障害の有無を判定することができる。つまり、ＤＣファンモータの制御部では、モータ回転数が目標値（＝目標ＦＧ）となるように回転数出力（＝ＦＧ）と比較しながら速度指令値Ｖｓｐを調整しており、室内熱交換器および／または室外熱交換器に対して通風障害が生じ、風路抵抗が増加すると、回転数出力（＝ＦＧ）が低下し、結果的に速度指令値Ｖｓｐもしくはそれに対応するＨＥＸ値がアップするため、この速度指令値Ｖｓｐもしくはそれに対応するＨＥＸ値をモニタすることにより、新たに電流センサ等のセンサを設けることなく、室内熱交換器および／または室外熱交換器に対する通風障害の有無を判定することができ、構成の簡素化、通風障害の判定精度の向上等を図ることができる。
【図面の簡単な説明】
【００１６】
【図１】本発明の一実施形態に係る空気調和機の冷媒回路図である。
【図２】図１に示す空気調和機に適用されるＤＣファンモータの制御ブロック図である。
【発明を実施するための形態】
【００１７】
以下に、本発明にかかる実施形態について、図１および図２を参照して説明する。
図１には、本発明の一実施形態に係る空気調和機の冷媒回路図が示され、図２には、それに適用されるＤＣファンモータの制御ブロック図が示されている。本実施形態においては、空気調和機１として、１台の室外機２に、複数台の室内機３Ａ，３Ｂが並列に接続されているマルチ形の空気調和機１が示されている。複数台の室内機３Ａ，３Ｂは、室外機２から導出されるガス側配管４および液側配管５の間に分岐器６を介して互いに並列に接続されている。
【００１８】
室外機２は、冷媒を圧縮するインバータ駆動の圧縮機１０と、冷媒ガス中から潤滑油を分離する油分離器１１と、冷媒の循環方向を切換える四方切換弁１２と、冷媒と外気とを熱交換させる室外熱交換器１３と、室外熱交換器１３と一体的に構成されている過冷却コイル１４と、暖房用膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備えている。
【００１９】
室外機２側の上記各機器は、冷媒配管２２を介して公知の如く接続され、室外側冷媒回路２３を構成している。また、室外機２には、ＤＣファンモータ２４で駆動され、室外熱交換器１３に対して外気を通風する室外ファン２５が設けられているとともに、油分離器１１と圧縮機１０の吸入配管との間に、油分離器１１内で吐出冷媒ガスから分離された潤滑油を所定量ずつ圧縮機１０側に戻すための油戻し回路２６が設けられている。更に、室外機２には、室外側コントローラ２７が設けられ、圧縮機１０、四方切換弁１２、暖房用膨張弁（ＥＥＶＨ）１５、過冷却用膨張弁（ＥＥＶＳＣ）１８、室外ファン２５用のＤＣファンモータ２４等を制御している。
【００２０】
ガス側配管４および液側配管５は、室外機２のガス側操作弁２０および液側操作弁２１に接続される冷媒配管であり、現場での据え付け施工時に、室外機２とそれに接続される複数台の室内機３Ａ，３Ｂとの間の距離に応じて、その配管長が設定されるようになっている。ガス側配管４および液側配管５の途中には、適宜数の分岐器６が設けられ、該分岐器６を介して適宜台数の室内機３Ａ，３Ｂが接続されている。これによって、密閉された１系統の冷凍サイクル（冷媒回路）７が構成されている。
【００２１】
室内機３Ａ，３Ｂは、室内空気を冷媒と熱交換させて室内の空調に供する室内熱交換器３０と、冷房用膨張弁（ＥＥＶＣ）３１と、ＤＣファンモータ３２で駆動され、室内熱交換器３０を介して室内空気を循環させる室内ファン３３とを備えており、室内側の分岐ガス側配管４Ａ，４Ｂおよび分岐液側配管５Ａ，５Ｂを介して分岐器６に接続されている。また、室内機３Ａ，３Ｂには、冷房用膨張弁（ＥＥＶＣ）３１、室内ファン３３用のＤＣファンモータ３２等を制御する室内側コントローラ３４が設けられている。なお、室内側コントローラ３４は、室外側コントローラ２７と接続されている。
【００２２】
上記のマルチ形空気調和機１において、冷房運転は、以下のように行われる。
圧縮機１０で圧縮され、吐出された高温高圧の冷媒ガスは、油分離器１１で冷媒中に含まれている潤滑油が分離される。その後、冷媒ガスは、四方切換弁１２により室外熱交換器１３側に循環され、室外熱交換器１３で室外ファン２５により送風される外気と熱交換されて凝縮液化される。この液冷媒は、過冷却コイル１４で更に冷却された後、暖房用膨張弁１５を通過し、レシーバ１６内にいったん貯留される。
【００２３】
レシーバ１６で循環量が調整された液冷媒は、過冷却熱交換器１７を経て液冷媒配管側を流通される過程で、液冷媒配管から分流され、過冷却用膨張弁（ＥＥＶＳＣ）１８で断熱膨張された冷媒と熱交換されて過冷却度が付与される。この液冷媒は、液側操作弁２１を経て室外機２から液側配管５へと導出され、更に液側配管５に導出された液冷媒は、分岐器６を介して各室内機３Ａ，３Ｂの分岐液側配管５Ａ，５Ｂへと分流される。
【００２４】
分岐液側配管５Ａ，５Ｂに分流された液冷媒は、各室内機３Ａ，３Ｂに流入し、冷房用膨張弁（ＥＥＶＣ）３１で断熱膨張され、気液二相流となって室内熱交換器３０に流入される。室内熱交換器３０では、室内ファン３３により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００２５】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００２６】
一方、暖房運転は、以下のように行われる。
圧縮機１０により圧縮され、吐出された高温高圧の冷媒ガスは、油分離器１１で冷媒中に含まれている潤滑油が分離された後、四方切換弁１２を介してガス側操作弁２０側に循環される。該冷媒は、ガス側操作弁２０、ガス側配管４を経て室外機２から導出され、更に分岐器６、室内側の分岐ガス側配管４Ａ，４Ｂを経て複数台の室内機３Ａ，３Ｂに導入される。
【００２７】
室内機３Ａ，３Ｂに導入された高温高圧の冷媒ガスは、室内熱交換器３０で室内ファン３３を介して循環される室内空気と熱交換され、室内空気は加熱されて室内の暖房に供される。室内熱交換器３０で凝縮された液冷媒は、冷房用膨張弁（ＥＥＶＣ）３１、分岐液側配管５Ａ，５Ｂを経て分岐器６に至り、他の室内機からの冷媒と合流された後、液側配管５を経て室外機２に戻される。なお、暖房時、室内機３Ａ，３Ｂでは、凝縮器として機能する室内熱交換器３０の冷媒出口温度（以下、熱交出口温度という。）または冷媒過冷却度が制御目標値となるように、冷房用膨張弁（ＥＥＶＣ）３１の開度が室内側コントローラ３４を介して制御されるようになっている。
【００２８】
室外機２に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、暖房用膨張弁（ＥＥＶＨ）１５に供給されて断熱膨張された後、過冷却コイル１４を経て室外熱交換器１３に流入される。
【００２９】
室外熱交換器１３においては、室外ファン２５を介して送風される外気と冷媒とが熱交換され、冷媒は外気から吸熱して蒸発ガス化される。該冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００３０】
上記の空気調和機１において、室外ファン２５および室内ファン３３を駆動するＤＣファンモータ２４，３２は、図２に示されるように、各々のモータ制御部２８，３５を構成する制御基板４０からの速度指令値（＝Ｖｓｐ）に基づき駆動回路４１を介して回転されるように構成されており、該ＤＣファンモータ２４，３２の回転数を回転数検出回路４２で検出し、その出力（＝ＦＧ）を制御基板４０にフィードバックすることによって、ＤＣファンモータ２４，３２の回転数が目標値（＝目標ＦＧ）となるように、回転数出力（＝ＦＧ）と比較しながら、速度指令値（＝Ｖｓｐ）を調整する構成とされている。
【００３１】
このため、室外熱交換器１３または室内熱交換器３０に対する風路抵抗が何らかの理由により増加すると、回転数出力（＝ＦＧ）が低下し、その結果、速度指令値（＝Ｖｓｐ）がアップされることになる。従って、速度指令値（＝Ｖｓｐ）もしくはそれに対応するソフト内部でのＨＥＸ値（指定された値を１６進数で表した文字列）の変化をモニタリングすることにより、風路抵抗の増加等を検知することができる。
【００３２】
室外熱交換器１３または室内熱交換器３０に対する風路抵抗は、以下の理由により増加することが考えられる。
（１）室内熱交換器３０の上流側には、空気中の塵埃を除去するエアフィルタが設置されており、このエアフィルタに除去した塵埃が堆積すると、エアフィルタが目詰まりを起こし、風路抵抗が増大する。
（２）室外熱交換器１３に対しての外気吸込み口には、吸込み口ガードが設けられており、これに紙くずやビニール袋等の粗大ゴミが張り付くと、吸込み口が目詰まりし、風路抵抗が増大する。
（３）低外気温度時、暖房運転すると、室外熱交換器１３の表面に霜が生成され、この霜が成長して堆積することにより、室外熱交換器１３の通風路が目詰まりし、風路抵抗が増大するとともに、熱交換が阻害され、能力が低下する。
【００３３】
これら（１）ないし（３）は、室外熱交換器１３または室内熱交換器３０に対する通風障害であり、空気調和機１を効率よく、安定して運転するためには、速やかに排除する必要がある。また、上記（１）ないし（３）の通風障害とは若干異なるが、ここでは、
（４）室外ファン２５および室内ファン３３がロックされて回転不能となり、回転数信号が出力されないファンロック、あるいはファンモータ２４，３２等が無負荷状態となるファンモータ外れ等も通風障害とされている。
【００３４】
本実施形態では、通風障害の発生の有無を判定するため、図２に示されるように、室外ファン２５および室内ファン３３を駆動するＤＣファンモータ２４，３２のモータ制御部２８，３５で使用されている速度指令値Ｖｓｐもしくはそれに対応するソフト内部でのＨＥＸ値（指定された値を１６進数で表した文字列）等のパラメータを流用し、そのパラメータに基づいて室外熱交換器１３および室内熱交換器３０に対する通風障害の有無を判定する通風障害判定手段５０を室外側コントローラ２７に設けている。
【００３５】
この通風障害判定手段５０は、モータ制御部２８，３５の速度指令値Ｖｓｐもしくはそれに対応するソフト内部でのＨＥＸ値をモニタリングし、それが予め設定されている値に到達したか否かで通風障害の発生の有無を判定するようにしたものであり、通風障害が発生していると判定した場合には、警報手段５１を介して通風障害の発生を警報できるように構成されている。
【００３６】
また、暖房運転時、室外熱交換器１３の温度を検出する熱交温度センサ５３および外気温を掲出する外気温センサ５４の検出値が設定温度以下で、かつ通風障害判定手段５０により室外熱交換器１３に対して通風障害が発生していると判定された場合、室外熱交換器１３に霜が堆積していると判断し、除霜運転手段５２により四方切換弁１２を介して冷凍サイクル（冷媒回路）７を冷房サイクルに切換えるとともに、圧縮機１０の回転数を制御して、デフロスト運転を行う構成としている。
【００３７】
以上に説明の構成により、本実施形態によれば、以下の作用効果を奏する。
空気調和機１を運転することにより、以下のような通風障害が発生する場合がある。
（１）室内熱交換器３０の上流側に設置されているエアフィルタに除去した塵埃が堆積することにより、エアフィルタが目詰まりを起こし、風路抵抗が増大する。
（２）室外熱交換器１３に対する外気吸込み口に設けられている吸込み口ガードに紙くずやビニール袋等の粗大ゴミが張り付くことにより、吸込み口が目詰まりし、風路抵抗が増大する。
（３）低外気温下での暖房運転時、室外熱交換器１３の表面に霜が生成し、この霜が成長して堆積することにより、室外熱交換器１３の通風路が目詰まりし、風路抵抗が増大するとともに、熱交換が阻害され、能力が低下する。
（４）室外ファン２５および室内ファン３３がロックされて回転不能となり、回転数信号が出力されないファンロック、あるいはＤＣファンモータ２４，３２等が無負荷状態となるファンモータ外れ等に陥ることがある。
【００３８】
これらの通風障害は、室外ファン２５および室内ファン３３を駆動しているＤＣファンモータ２４，３２のモータ制御部２８，３５において、速度指令値Ｖｓｐもしくはそれに対応するソフト内部でのＨＥＸ値等のパラメータの変化となって現れる。この変化を通風障害判定手段５０で監視することにより、室外熱交換器１３および室内熱交換器３０に対する通風障害の発生の有無を判定することができる。
【００３９】
すなわち、ＤＣファンモータ２４，３２を制御するモータ制御部２８，３５では、図２に示されるように、モータ回転数が目標値（＝目標ＦＧ）となるように回転数出力（＝ＦＧ）と比較しながら速度指令値Ｖｓｐを調整しており、室外熱交換器１３および室内熱交換器３０に対して通風障害が生じ、風路抵抗が増加すると、回転数検出回路４２からの回転数出力（＝ＦＧ）が低下し、その結果、速度指令値Ｖｓｐもしくはそれに対応するＨＥＸ値がアップすることとなる。
【００４０】
従って、この速度指令値Ｖｓｐもしくはそれに対応するＨＥＸ値をモニタすることによって、新たに専用のセンサを設けることなく、室外熱交換器１３および室内熱交換器３０に対する通風障害の有無を判定することができ、構成の簡素化、通風障害の判定精度の向上等を図ることができる。
【００４１】
また、速度指令値Ｖｓｐもしくはそれに対応するソフト内部でのＨＥＸ値等のパラメータが、フィルタ目詰まり、吸込み口目詰まり、霜の堆積、ファンロック、ファンモータ外れ等の通風障害に対応して定められている値に到達したことを以って、室外熱交換器１３および室内熱交換器３０に対して上記いずれかの通風障害が発生していると判定することができるため、室外熱交換器１３および室内熱交換器３０に対する通風障害の有無を新たなセンサを設置することなく、既存のモータ制御部２８，３５で使われていたパラメータを流用することによって簡易に判定することが可能となり、コストアップを抑えることができる。
【００４２】
さらに、外気温センサ５４および室外熱交換器１３の温度を検出する熱交温度センサ５３の検出値と、通風障害判定手段５０からの通風障害有りとの判定結果とに基づいて、室外熱交換器１３に対する霜の堆積を判定し、除霜運転手段５２を介して除霜運転を行うようにしているため、室外熱交換器１３に対する着霜の有無を、外気温センサ５４および熱交温度センサ５３の検出値の他に、通風障害判定手段５０からの通風障害有りとの判定結果を加えて判定し、除霜運転を行うことが可能となる。
従って、外気温センサ５４および熱交温度センサ５３の検出値に基づいて除霜運転を行っていた場合に比べ、着霜検出精度を高め、いわゆる偽デフロスト運転を回避して、空調フィーリングの悪化を防止することができる。
【００４３】
なお、本発明は、上記実施形態にかかる発明に限定されるものではなく、その要旨を逸脱しない範囲において、適宜変形が可能である。例えば、上記実施形態では、室外熱交換器１３に霜が堆積することによる通風障害に対しては、除霜運転手段５２を介して除霜運転を行うことにより、通風障害を解除するようにし、他の通風障害に対しては、警報手段５１を介して警報するに止めているが、他の通風障害に対しても、以下により通風障害を自動的に解除するように構成してもよい。
【００４４】
（１）室内機３Ａ，３Ｂのエアフィルタに対して、堆積した塵埃を除去する自動清掃機構を装備しているものでは、通風障害判定手段５０により通風障害が発生していると判定された場合、自動清掃機構を稼動させて通風障害を解除する。
（２）室外熱交換器１３に対する外気の吸込み口に設けられている吸込み口ガードに紙くずやビニール袋等の粗大ゴミが張り付くことによる通風障害に対しては、室外ファン２５を逆転させて粗大ゴミを吹き飛ばし、通風障害を解除する。
【００４５】
また、上記実施形態では、室外熱交換器１３および室内熱交換器３０の双方に対する通風障害の発生の有無を判定するようにしているが、いずれか一方に対する通風障害の発生有無を判定するようにしてもよいことはもちろんである。
【符号の説明】
【００４６】
１  空気調和機
２  室外機
３Ａ，３Ｂ  室内機
１３  室外熱交換器
２４  ＤＣファンモータ
２５  室外ファン
２７  室外側コントローラ
２８  モータ制御部
３０  室内熱交換器
３２  ＤＣファンモータ
３３  室内ファン
３４  室内側コントローラ
３５  モータ制御部
４０  制御基板
４１  駆動回路
４２  回転数検出回路
５０  通風障害判定手段
５１  警報手段
５２  除霜運転手段
５３  熱交温度センサ
５４  外気温センサ
【図１】
2011149646.tif 000003
【図２】
2011149646.tif 000004